【手続補正書】
【提出日】平成30年7月13日(2018.7.13)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
基地局が、非周期的な基準信号構成を選択することと、
前記基地局が、識別子における前記選択された非周期的な基準信号構成を示すことと、
前記基地局が、非周期的な基準信号の存在をシグナリングする前記識別子を送信することと、
前記基地局が、前記非周期的な基準信号を送信することと、
前記基地局が、１つまたは複数のユーザ機器（ＵＥ）からのチャネル状態情報（ＣＳＩ）レポートを受信すること、ここにおいて、前記ＣＳＩレポートは、前記非周期的な基準信号に基づく、と
を備える、方法。
【請求項２】
前記基地局が、前記１つまたは複数のＵＥの各々に対するＵＥ固有のＣＳＩ要求を送信することをさらに備える、
請求項１に記載の方法。
【請求項３】
前記ＵＥ固有のＣＳＩ要求は、要求されたＣＳＩレポートのタイプの識別を含む、
請求項２に記載の方法。
【請求項４】
前記識別子は、制御チャネルの共通探索空間において送信される、
請求項１に記載の方法。
【請求項５】
ワイヤレス通信の方法であって、
ユーザ機器（ＵＥ）が、サブフレーム中の非周期的な基準信号の存在をシグナリングする識別子を検出すること、ここにおいて、前記識別子は、選択された非周期的な信号構成を示す、と、
前記ＵＥが、基地局からのチャネル状態情報（ＣＳＩ）要求を識別することと、
前記ＵＥが、前記ＣＳＩ要求に応じて前記非周期的な基準信号に基づいてＣＳＩレポートを生成することと、
前記ＵＥが、前記基地局に前記ＣＳＩレポートを送信することと
を備える、方法。
【請求項６】
前記ＣＳＩ要求を前記識別することは、
前記基地局からのＵＥ固有のＣＳＩ要求を受信すること、または
前記基地局からの制御チャネルの共通探索空間において識別子を検出すること
のうちの１つを含む、請求項５に記載の方法。
【請求項７】
前記ＵＥ固有のＣＳＩ要求は、要求されたＣＳＩレポートのタイプの識別を含む、
請求項６に記載の方法。
【請求項８】
前記非周期的な基準信号は、単一サブフレーム上で送信される基準信号リソースのパターンを含む、
請求項５に記載の方法。
【請求項９】
ワイヤレス通信のために構成される装置であって
少なくとも１つのプロセッサと、
前記少なくとも１つのプロセッサに結合されるメモリと
を備え、前記少なくとも１つのプロセッサは、
基地局が、非周期的な基準信号構成を選択することと、
前記基地局が、識別子における前記選択された非周期的な基準信号構成を示すことと、
前記基地局が、非周期的な基準信号の存在をシグナリングする前記識別子を送信することと、
前記基地局が、前記非周期的な基準信号を送信することと、
前記基地局が、１つまたは複数のユーザ機器（ＵＥ）からのチャネル状態情報（ＣＳＩ）レポートを受信すること、ここにおいて、前記ＣＳＩレポートは、前記非周期的な基準信号に基づく、と
を備える、装置。
【請求項１０】
前記基地局が、前記１つまたは複数のＵＥの各々に対するＵＥ固有のＣＳＩ要求を送信するように前記少なくとも１つのプロセッサの構成をさらに含む、
請求項９に記載の装置。
【請求項１１】
前記ＵＥ固有のＣＳＩ要求は、要求されたＣＳＩレポートのタイプの識別を含む、
請求項１０に記載の装置。
【請求項１２】
ワイヤレス通信の方法であって、
少なくとも１つのプロセッサと、
前記少なくとも１つのプロセッサに結合されるメモリと
を備え、前記少なくとも１つのプロセッサは、
ユーザ機器（ＵＥ）が、サブフレーム中の非周期的な基準信号の存在をシグナリングする識別子を検出すること、ここにおいて、前記識別子は、選択された非周期的な基準信号構成を示す、と、
前記ＵＥが、基地局からのチャネル状態情報（ＣＳＩ）要求を識別することと、
前記ＵＥが、前記ＣＳＩ要求に応じて前記非周期的な基準信号に基づいてＣＳＩレポートを生成することと、
前記ＵＥが、前記基地局に前記ＣＳＩレポートを送信することと
を行うように構成される、装置。
【請求項１３】
前記ＣＳＩ要求を識別する前記少なくとも１つのプロセッサの前記構成は、
前記基地局からのＵＥ固有のＣＳＩ要求を受信する前記少なくとも１つのプロセッサの構成、または
前記基地局からの制御チャネルの共通探索空間中に前記識別子を検出する前記少なくとも１つのプロセッサの前記構成
のうちの１つを含む、請求項１２に記載の装置。
【請求項１４】
前記ＵＥ固有のＣＳＩ要求は、要求されたＣＳＩレポートのタイプの識別を含む、
請求項１３に記載の装置。
【請求項１５】
少なくとも１つのコンピュータに請求項１乃至８のいずれか１項に従うステップを実行させる命令を備える、コンピュータプログラム。
【手続補正２】
【補正対象書類名】明細書
【補正対象項目名】００６２
【補正方法】変更
【補正の内容】
【００６２】
[0068]本開示の先の説明は、本開示を製造または使用することをいずれの当業者にも可能にさせるために提供される。本開示に対する様々な変更は、当業者に容易に理解され、本明細書において定義された一般的な原理は、本開示の精神または範囲から逸脱せずに、他の変形例に適用されうる。よって、本開示は、本明細書で説明される例および設計に限定されるように意図されたものではなく、本明細書で開示された原理および新規の特徴と一貫する最大範囲であるが与えられる。
以下に、本願出願の当初の特許請求の範囲に記載された発明を付記する。
［Ｃ１］
ワイヤレス通信の方法であって、
基地局が、非周期的な基準信号の存在をシグナリングする識別子を送信することと、
前記基地局が、前記非周期的な基準信号を送信することと、
前記基地局が、１つまたは複数のユーザ機器（ＵＥ）からのチャネル状態情報（ＣＳＩ）レポートを受信すること、前記ＣＳＩレポートは、前記非周期的な基準信号に基づく、と
を備える、方法。
［Ｃ２］
前記基地局が、前記１つまたは複数のＵＥの各々に対するＵＥ固有のＣＳＩ要求を送信することをさらに備える、
［Ｃ１］に記載の方法。
［Ｃ３］
前記ＵＥ固有のＣＳＩ要求は、要求されたＣＳＩレポートのタイプの識別を含む、
［Ｃ２］に記載の方法。
［Ｃ４］
前記識別子は、制御チャネルの共通探索空間において送信される、
［Ｃ１］に記載の方法。
［Ｃ５］
前記非周期的な基準信号は、単一サブフレーム上で送信される基準信号リソースのパターンを含む、
［Ｃ１］に記載の方法。
［Ｃ６］
前記基地局が、複数の基準信号リソースのパターンから前記基準信号リソースのパターンを準静的に構成することをさらに備え、前記識別子は、前記構成された基準信号リソースのパターンをさらに識別する、
［Ｃ５］に記載の方法。
［Ｃ７］
前記基準信号リソースは、
ＣＳＩ基準信号（ＣＳＩ−ＲＳ）、
干渉測定リソース（ＩＭＲ）、または
共通基準信号（ＣＲＳ）
のうちの少なくとも１つを含む、［Ｃ５］に記載の方法。
［Ｃ８］
前記識別子および前記非周期的な基準信号は、同じサブフレーム中で送信される、または
前記識別子は、第１のサブフレーム中で送信され、前記非周期的な基準信号は、前記第１サブフレームの後の異なるサブフレーム上で送信される、
［Ｃ１］に記載の方法。
［Ｃ９］
ワイヤレス通信の方法であって、
ユーザ機器（ＵＥ）が、サブフレーム中の非周期的な基準信号の存在をシグナリングする識別子を検出することと、
前記ＵＥが、基地局からのチャネル状態情報（ＣＳＩ）要求を識別することと、
前記ＵＥが、前記ＣＳＩ要求に応じて前記非周期的な基準信号に基づいてＣＳＩレポートを生成することと、
前記ＵＥが、前記基地局に前記ＣＳＩレポートを送信することと
を備える、方法。
［Ｃ１０］
前記ＣＳＩ要求を前記識別することは、
前記基地局からのＵＥ固有のＣＳＩ要求を受信すること、または
前記基地局からの制御チャネルの共通探索空間において識別子を検出すること
のうちの１つを含む、［Ｃ９］に記載の方法。
［Ｃ１１］
前記ＵＥ固有のＣＳＩ要求は、要求されたＣＳＩレポートのタイプの識別を含む、
［Ｃ１０］に記載の方法。
［Ｃ１２］
前記非周期的な基準信号は、単一サブフレーム上で送信される基準信号リソースのパターンを含む、
［Ｃ９］に記載の方法。
［Ｃ１３］
前記識別子は、複数の基準信号リソースのパターンから前記基準信号リソースのパターンをさらに識別する、
［Ｃ１２］に記載の方法。
［Ｃ１４］
前記基準信号リソースは、
ＣＳＩ基準信号（ＣＳＩ−ＲＳ）、
干渉計測リソース（ＩＭＲ）、または
共通基準信号（ＣＲＳ）
のうちの少なくとも１つを含む、［Ｃ１２］に記載の方法。
［Ｃ１５］
前記識別子および前記非周期的な基準信号は、同じサブフレーム中で受信される、または
前記識別子は、第１のサブフレーム中で受信され、前記非周期的な基準信号は、前記第１サブフレームの後の異なるサブフレーム上で受信される、
［Ｃ９］に記載の方法。
［Ｃ１６］
ワイヤレス通信のために構成される装置であって
少なくとも１つのプロセッサと、
前記少なくとも１つのプロセッサに結合されるメモリと
を備え、前記少なくとも１つのプロセッサは、
基地局が、非周期的な基準信号の存在をシグナリングする識別子を送信することと、
前記基地局が、前記非周期的な基準信号を送信することと、
前記基地局が、１つまたは複数のユーザ機器（ＵＥ）からのチャネル状態情報（ＣＳＩ）レポートを受信すること、ここにおいて、前記ＣＳＩレポートは、前記非周期的な基準信号に基づく、と
を備える、装置。
［Ｃ１７］
前記基地局が、前記１つまたは複数のＵＥの各々に対するＵＥ固有のＣＳＩ要求を送信するように前記少なくとも１つのプロセッサの構成をさらに含む、
［Ｃ１６］に記載の装置。
［Ｃ１８］
前記ＵＥ固有のＣＳＩ要求は、要求されたＣＳＩレポートのタイプの識別を含む、
［Ｃ１７］に記載の装置。
［Ｃ１９］
前記識別子は、制御チャネルの共通探索空間において送信される、
［Ｃ１６］に記載の装置。
［Ｃ２０］
前記非周期的な基準信号は、単一サブフレーム上で送信される基準信号リソースのパターンを含む、
［Ｃ１６］に記載の装置。
［Ｃ２１］
前記基地局が、複数の基準信号リソースのパターンから前記基準信号リソースのパターンを準静的に構成する前記少なくとも１つのプロセッサの構成をさらに含み、前記識別子は、前記構成された基準信号リソースのパターンをさらに識別する、
［Ｃ２０］に記載の装置。
［Ｃ２２］
前記基準信号リソースは、
ＣＳＩ基準信号（ＣＳＩ−ＲＳ）、
干渉測定リソース（ＩＭＲ）、または
共通基準信号（ＣＲＳ）
のうちの少なくとも１つを含む、［Ｃ２０］に記載の装置。
［Ｃ２３］
前記識別子および前記非周期的な基準信号は、同じサブフレーム中で送信される、または
前記識別子は、第１のサブフレーム中で送信され、前記非周期的な基準信号は、前記第１サブフレームの後の異なるサブフレーム上で送信される、
［Ｃ１６］に記載の装置。
［Ｃ２４］
ワイヤレス通信の方法であって、
少なくとも１つのプロセッサと、
前記少なくとも１つのプロセッサに結合されるメモリと
を備え、前記少なくとも１つのプロセッサは、
ユーザ機器（ＵＥ）が、サブフレーム中の非周期的な基準信号の存在をシグナリングする識別子を検出することと、
前記ＵＥが、基地局からのチャネル状態情報（ＣＳＩ）要求を識別することと、
前記ＵＥが、前記ＣＳＩ要求に応じて前記非周期的な基準信号に基づいてＣＳＩレポートを生成することと、
前記ＵＥが、前記基地局に前記ＣＳＩレポートを送信することと
を行うように構成される、装置。
［Ｃ２５］
前記ＣＳＩ要求を識別する前記少なくとも１つのプロセッサの前記構成は、
前記基地局からのＵＥ固有のＣＳＩ要求を受信する前記少なくとも１つのプロセッサの構成、または
前記基地局からの制御チャネルの共通探索空間中に前記識別子を検出する前記少なくとも１つのプロセッサの前記構成
のうちの１つを含む、［Ｃ２４］に記載の装置。
［Ｃ２６］
前記ＵＥ固有のＣＳＩ要求は、要求されたＣＳＩレポートのタイプの識別を含む、
［Ｃ２５］に記載の装置。
［Ｃ２７］
前記非周期的な基準信号は、単一サブフレーム上で送信される基準信号リソースのパターンを含み、前記識別子は、複数の基準信号リソースのパターンから前記基準信号リソースのパターンをさらに識別する、
［Ｃ２４］に記載の装置。
［Ｃ２８］
前記基準信号リソースは、
ＣＳＩ基準信号（ＣＳＩ−ＲＳ）、
干渉計測リソース（ＩＭＲ）、または
共通基準信号（ＣＲＳ）
のうちの少なくとも１つを含む、［Ｃ２７］に記載の装置。
［Ｃ２９］
前記識別子および前記非周期的な基準信号は、同じサブフレーム中で受信される、または
前記識別子は、第１のサブフレーム中で受信され、前記非周期的な基準信号は、前記第１サブフレームの後の異なるサブフレーム上で受信される、
［Ｃ２４］に記載の装置。